(57)【特許請求の範囲】
【請求項１】
浴室から空気を取り込む送風機と、
前記送風機の動作を制御する制御基板と、
前記制御基板を収納する制御基板収納部と、
前記制御基板収納部の内部において、前記制御基板の基板面に対向する前記制御基板収納部の内面と、前記基板面と、の間に設けられた樹脂プレートと、
を備え、
前記樹脂プレートは、前記内面に対向する第１面と、前記内面と、の間を離間させるリブを備え、
前記リブは、前記第１面の外周に沿って設けられており、前記制御基板収納部の内部において前記樹脂プレートの側面が対向する前記制御基板収納部の内側面と接触していること、
を特徴とする浴室乾燥機。
【請求項２】
前記内面と前記樹脂プレートとの間に空気層を有すること、
を特徴とする請求項１に記載の浴室乾燥機。
【請求項３】
前記リブは、前記浴室乾燥機の据え付け状態において鉛直方向下側に位置する部分に排水用第１切り欠きを有し、
前記制御基板収納部は、前記浴室乾燥機の据え付け状態において前記排水用第１切り欠きに対応する部分に、排水用第２切り欠きを有すること、
を特徴とする請求項１または２に記載の浴室乾燥機。
【発明の詳細な説明】
【技術分野】
【０００１】
本発明は、浴室内から取り込まれた空気の浴室への循環と、浴室内から取り込まれた空気の浴室の外への排出とを可能とする浴室乾燥機に関する。
【背景技術】
【０００２】
浴室内から取り込まれた空気の浴室への循環と、浴室内から取り込まれた空気の浴室の外への排出とが可能とされ、浴室の窓に据え付けられる窓据付型の浴室乾燥機および浴室の壁面に据え付けられる壁据付型の浴室乾燥機が知られている。浴室に据え付けられる浴室乾燥機は、空気の吸込口および空気の吹出口を有するパネルが浴室内に露出し、本体部が浴室外に配置される形態を有する。本体部は、送風するファンおよびファンを駆動させるファンモータを備える送風機、ファンの風路を形成するファンケーシング、ファンで送風される空気を加熱するヒータ、ヒータで加熱された空気を吹き出す吹出口、運転モードを切り替えるダンパ、ダンパを駆動するモータ、および送風機および浴室乾燥機の運転を制御する制御回路といった部品が、本体ケースに収納される。【０００３】
制御回路は、水および湿気に起因した誤作動の発生を防止するために、専用のケースに収納された状態で、浴室外に配置された本体部の内部に収納される。【０００４】
特許文献１に開示される浴室用の暖房装置は、本体の内部において本体の側面に隣接した部分に制御装置が配置されている。
【先行技術文献】
【特許文献】
【０００５】
【特許文献１】特開２００７−４０６３４号公報
【発明の概要】
【発明が解決しようとする課題】
【０００６】
浴室に据え付けられる浴室乾燥機では、浴室の内部と外部との雰囲気温度の差が生じた場合、または外気の温度低下によって制御回路を収納するケースが冷やされた場合には、制御回路が収納されたケースの内部で結露が発生する。また、ケースの外部で結露が発生することによりケースの内部に水が浸入する懸念がある。制御回路において必要な絶縁性を確保して水に起因した制御回路の誤作動を防止するために、一般的に、制御回路の表面には樹脂などの絶縁材料を盛るポッティング加工が施される。
【０００７】
しかしながら、制御回路にポッティング加工を施す場合には、浴室乾燥機の製造作業が複雑となり、また浴室乾燥機の重量が増加する。したがって、浴室乾燥機においては、製造作業の複雑化および重量の増加を伴うことなく、結露に起因した誤作動を抑制可能な構成が求められている。【０００８】
本発明は、上記に鑑みてなされたものであって、製造作業の複雑化および重量の増加を伴うことなく、結露に起因した誤作動を抑制可能な浴室乾燥機を得ることを目的とする。
【課題を解決するための手段】
【０００９】
上述した課題を解決し、目的を達成するために、本発明にかかる浴室乾燥機は、浴室から空気を取り込む送風機と、送風機の動作を制御する制御基板と、制御基板を収納する制御基板収納部と、制御基板収納部の内部において、制御基板の基板面に対向する制御基板収納部の内面と、基板面と、の間に設けられた樹脂プレートと、を備える。樹脂プレートは、内面に対向する第１面と、内面と、の間を離間させるリブを備える。リブは、第１面の外周に沿って設けられており、制御基板収納部の内部において樹脂プレートの側面が対向する制御基板収納部の内側面と接触している。
【発明の効果】
【００１０】
本発明にかかる浴室乾燥機は、製造作業の複雑化および重量の増加を伴うことなく、結露に起因した誤作動を抑制可能である、という効果を奏する。
【図面の簡単な説明】
【００１１】
【図１】本発明の実施の形態１にかかる浴室乾燥機を示す斜視図
【図２】図１に示す浴室乾燥機を背面側から見た斜視図
【図３】図１に示す浴室乾燥機の本体部の内部構造を示す斜視図
【図４】図１に示す浴室乾燥機の据え付け状態を示す側面図
【図５】図１に示す浴室乾燥機の第１の制御基板収納部の分解斜視図
【図６】図１に示す浴室乾燥機の樹脂プレートを第１面側から見た斜視図
【図７】図１に示す浴室乾燥機の樹脂プレートを第２面側から見た斜視図
【図８】図１に示す浴室乾燥機の第１の制御基板収納部の内部構造を示す要部断面図であり、図２におけるＶＩＩＩ−ＶＩＩＩ線に沿った横断面図
【発明を実施するための形態】
【００１２】
以下に、本発明の実施の形態にかかる浴室乾燥機を図面に基づいて詳細に説明する。なお、この実施の形態によりこの発明が限定されるものではない。また、以下に示す図面においては、理解の容易のため、各部材の縮尺が実際とは異なる場合がある。各図面間においても同様である。
【００１３】
実施の形態１．
図１は、本発明の実施の形態１にかかる浴室乾燥機１００を示す斜視図である。図２は、図１に示す浴室乾燥機１００を背面側から見た斜視図であり、外郭ケース１を外した状態を示す斜視図である。図３は、図１に示す浴室乾燥機１００の本体部２１の内部構造を示す斜視図である。図１においては、右下方向が浴室乾燥機１００前面側であり、左上方向が浴室乾燥機１００背面側である。また、図１から図３においては、図中の下側が、浴室乾燥機１００の据え付け状態における鉛直方向下側である。
【００１４】
本実施の形態１にかかる浴室乾燥機１００は、浴室の窓に据え付け可能な窓据付型の浴室乾燥機である。なお、浴室乾燥機１００は、浴室の壁面に据え付け可能な壁据付型の浴室乾燥機１００としても使用可能である。浴室乾燥機１００は、浴室に温風を送風する暖房運転と、浴室の空気を屋外に排出する換気運転と、浴室への温風の送風および浴室内の空気の排出を同時に行う乾燥運転が可能である。
【００１５】
本実施の形態１にかかる浴室乾燥機１００は、浴室内に露出して意匠面を構成するパネル２と、箱状の金属ケースで覆われた直方形状の本体部２１と、を備える。パネル２は、浴室内の窓に取り付けられる平板状のパネルベース３と、パネルベース３よりも浴室の内部側に配置される平板状のフロントパネル４と、を有して構成される。本実施の形態１においては、パネルベース３およびフロントパネル４は、面内方向における外形形状が四角形状とされている。フロントパネル４に設けられた吹出口５は、温風を吹出す循環吹き出し口を構成する。
【００１６】
フロントパネル４は、パネルベース３から離間した状態で配置されている。フロントパネル４は、パネルつまみを回転させてフロントパネル４とパネルベース３との不図示の係合部を外すことで、工具を使用せずに開くことができる。パネルベース３とフロントパネル４との間には、浴室内の空気を吸い込むための隙間が設けられている。浴室乾燥機１００は、パネル２の上面側およびパネル２の左右の側面側の３方向から浴室内の空気を吸い込む。
【００１７】
本体部２１は、図２および図３に示すように、浴室乾燥機１００の外郭を構成する外郭ケース１に覆われる、本体ボディ１３および第１の制御基板収納部２２を備える。本体ボディ１３は、送風するファン１６およびファン１６を駆動させるファンモータ１７を内部に備える。ファンモータ１７およびファン１６は、送風機２０を構成する。なお、図３では、記載方向の関係上、ファンモータ１７は軸の一部のみが表されている。また、本体部２１の内部には、送風機２０の他に、ファン１６が発生させる気流の風路を形成するファンケーシング、ファンで送風される空気を加熱するヒータ、ヒータで加熱された空気を吹き出す吹出口、ファン１６が発生させる気流の風路を切り替えるダンパ、ダンパを駆動するモータといった部品が収納される。
【００１８】
本体ボディ１３の内部には、本体ボディ１３とファンケーシングとにより形成されてファン１６により送られた風を吹出口５へ進行させる風路と、本体ボディ１３とファンケーシングとにより形成されてファン１６により送られた風を不図示の排気口へ進行させる風路とが形成されている。
【００１９】
第１の制御基板収納部２２には、送風機２０およびダンパの運転を制御して浴室乾燥機１００の運転を制御する制御回路が収納されている。制御回路は、複数の電子部品が制御基板９に実装された電子回路によって構成されている。第１の制御基板収納部２２は、外郭ケース１の内部において、本体ボディ１３の側面部へ固定されている。
【００２０】
図４は、図１に示す浴室乾燥機１００の据え付け状態を示す側面図である。浴室乾燥機１００の据付は、図４に示すように外郭ケース１と同じ大きさの開口を設けたアルミニウムの板材４１を窓のサッシ４２に固定し、板材４１の開口に浴室側から本体部２１を押し込むことにより行われる。図４においては、図中の下側が、鉛直方向下側である。
【００２１】
図５は、図１に示す浴室乾燥機１００の第１の制御基板収納部２２の分解斜視図である。図６は、図１に示す浴室乾燥機１００の樹脂プレート１０を第１面１０ｅ側から見た斜視図である。図７は、図１に示す浴室乾燥機１００の樹脂プレート１０を第２面１０ｆ側から見た斜視図である。図８は、図１に示す浴室乾燥機１００の第１の制御基板収納部２２の内部構造を示す要部断面図であり、図２におけるＶＩＩＩ−ＶＩＩＩ線に沿った横断面図である。図５においては、図中の下側が、浴室乾燥機１００の据え付け状態における鉛直方向下側である。図６においては、図中の右側が、浴室乾燥機１００の据え付け状態における鉛直方向下側である。図７においては、図中の左側が、浴室乾燥機１００の据え付け状態における鉛直方向下側である。
【００２２】
制御基板９は、第２の制御基板収納部２３に収納された状態で第１の制御基板収納部２２に収納される。第１の制御基板収納部２２は、板金ベース７に一面が開口した箱状の板金カバー１２がねじ止め固定されて構成される、制御基板９を収納するための金属製の制御基板収納部である。第１の制御基板収納部２２は、本体ボディ１３へねじで固定される。第２の制御基板収納部２３は、一面が開口した箱状の樹脂ケース８に樹脂プレート１０が嵌合固定されて構成される、制御基板９を収納するための樹脂製の制御基板収納部である。
【００２３】
制御基板９は、樹脂ケース８にねじで固定される。樹脂ケース８は、板金ベース７にねじで固定される。樹脂プレート１０には、樹脂ケース８を固定するための固定用つめ１０ａが、対向する２箇所に設けられている。樹脂ケース８には、樹脂プレート１０の固定用つめ１０ａが引っ掛けられる固定用孔８ａが、固定用つめ１０ａに対応する２箇所に設けられている。そして、樹脂プレート１０の固定用つめ１０ａが樹脂ケース８の固定用孔８ａに嵌合することにより、樹脂プレート１０が樹脂ケース８に固定される。
【００２４】
制御基板９は、複数の電子部品が実装された制御基板９の基板面である実装面９ａが樹脂プレート１０に対向する状態で樹脂製の制御基板収納部である第２の制御基板収納部２３に収納される。そして、樹脂プレート１０は、金属製の制御基板収納部である第１の制御基板収納部２２の内部において、制御基板９の実装面９ａに対向する板金カバー１２の内面１２ａと、制御基板９の実装面９ａと、の間に設けられている。制御基板９の実装面９ａに対向する板金カバー１２の内面１２ａは、制御基板９の実装面９ａに対向する第１の制御基板収納部２２の内面２２ａである。また、板金カバー１２の内面１２ａは、第１の制御基板収納部２２における本体ボディ１３に隣り合わない側の面の内面であり、制御基板９の基板面が対向する第１の制御基板収納部２２の面のうち、外面が露出した面の内面である。
【００２５】
第１の制御基板収納部２２の内部において、制御基板９における板金カバー１２の内面１２ａ側に設けられた樹脂プレート１０は、板金カバー１２の内面１２ａと制御基板９との間の断熱層として機能する。すなわち、浴室乾燥機１００では、樹脂プレート１０を設けることにより、第１の制御基板収納部２２の内部における制御基板９の周囲が冷えることが抑制されている。したがって、浴室乾燥機１００は、樹脂プレート１０を設けることにより、浴室の内部と外部との雰囲気温度の差が生じた場合、または降雨による外気の温度低下によって第１の制御基板収納部２２が冷やされた場合などにおける、第１の制御基板収納部２２の内部における制御基板９の周辺での結露の発生を抑制することができる。
【００２６】
樹脂プレート１０の第１面１０ｅは、樹脂プレート１０において第１の制御基板収納部２２の内面２２ａと対向する側の面である。樹脂プレート１０の第２面１０ｆは、樹脂プレート１０において第１面１０ｅが向く側と反対側を向く面である。
【００２７】
図６に示すように、樹脂プレート１０における第１面１０ｅには、板金カバー１２の内面１２ａと樹脂プレート１０の第１面１０ｅとを離間させる第１リブである隙間用リブ１０ｂが、第１面１０ｅの外周に沿って設けられている。第１の制御基板収納部２２の内部に樹脂プレート１０が収納された際に隙間用リブ１０ｂが板金カバー１２の内面１２ａに接触することにより、板金カバー１２の内面１２ａと樹脂プレート１０の第１面１０ｅとの間に空気層１８が形成される。
【００２８】
板金カバー１２の内面１２ａと樹脂プレート１０の第１面１０ｅとの間に形成された空気層１８は、板金カバー１２の内面１２ａと樹脂プレート１０との間の断熱層として機能する。すなわち、空気層１８は、板金カバー１２の内面１２ａと制御基板９との間の断熱層として機能する。したがって、浴室乾燥機１００は、空気層１８を設けることにより、浴室の内部と外部との雰囲気温度の差が生じた場合、または降雨による外気の温度低下によって第１の制御基板収納部２２が冷やされた場合などにおける、第１の制御基板収納部２２の内部における制御基板９の周辺での結露の発生を抑制することができる。
【００２９】
また、図６に示すように、隙間用リブ１０ｂには、浴室乾燥機１００の据え付け状態において鉛直方向下側に位置する部分に排水用第１切り欠き１０ｄが設けられている。また、板金カバー１２には、浴室乾燥機１００の据え付け状態において鉛直方向下側に位置する部分における、隙間用リブ１０ｂの排水用第１切り欠き１０ｄに対応する位置に排水用第２切り欠き１２ｂが設けられている。
【００３０】
そして、隙間用リブ１０ｂに排水用第１切り欠き１０ｄが設けられ、板金カバー１２に排水用第２切り欠き１２ｂが設けられることにより、板金カバー１２の内面１２ａと樹脂プレート１０の第１面１０ｅとの間の空気層１８と、第１の制御基板収納部２２の外部とが連通される。このため、板金カバー１２の内面１２ａと樹脂プレート１０の第１面１０ｅとの間の空気層１８において結露が発生した場合においても、樹脂プレート１０および板金カバー１２の空気層１８側の面に付着した結露水は重力により鉛直方向下側に移動して排水用第１切り欠き１０ｄおよび排水用第２切り欠き１２ｂを介して排水される。これにより、浴室乾燥機１００は、板金カバー１２の内面１２ａと樹脂プレート１０の第１面１０ｅとの間における結露による制御基板９への水分の影響を除外することが可能である。
【００３１】
なお、第１の制御基板収納部２２の下部に配置されたステッピングモーター１４等の電子部品は、カバー１９により覆われている。このため、空気層１８から排水された結露水が、ステッピングモーター１４等の電子部品には掛かることがない。
【００３２】
また、図８に示すように、隙間用リブ１０ｂは、第１の制御基板収納部２２の内部において、樹脂プレート１０の側面１０ｇが対向する板金カバー１２の内側面１２ｃと接触している。また、樹脂プレート１０の側面１０ｇは、対向する板金カバー１２の内側面１２ｃと接触している。これにより、浴室乾燥機１００では、樹脂プレート１０と板金カバー１２との接触面積を増やして、板金カバー１２の内面１２ａと樹脂プレート１０の第１面１０ｅとの間の空気層１８から制御基板９側への水分の浸入を防止することができる。
【００３３】
隙間用リブ１０ｂの高さおよび幅は、上述した効果が得られれば特に限定されない。
【００３４】
図７および図８に示すように、樹脂プレート１０の第２面１０ｆには、第２の制御基板収納部２３への水の浸入を防止する第２リブである水浸入防止リブ１０ｃが、第２面１０ｆの外周に沿って設けられている。樹脂ケース８の開口された側の端面である開口端面８ｃは、樹脂プレート１０の第２面１０ｆにおける外周側の領域の形状に沿った段差形状とされている。これにより、樹脂ケース８の開口された側の端面である開口端面８ｃは、樹脂プレート１０の第２面１０ｆにおける水浸入防止リブ１０ｃよりも外周側の外周縁部である外周縁部１０ｈと、水浸入防止リブ１０ｃにおける樹脂プレート１０の外周側の側面と、水浸入防止リブ１０ｃにおける上面と、に接触している。
【００３５】
これにより、浴室乾燥機１００では、樹脂ケース８と樹脂プレート１０との接触面積を増やして、第２の制御基板収納部２３の内部への水の浸入を防止することができる。
【００３６】
図５に示すように、樹脂ケース８には、浴室乾燥機１００の据え付け状態において鉛直方向下側に位置する部分に、制御基板９から引き出される不図示のリード線を外部に引き出すためのＵ型形状を有するＵ形溝８ｂが設けられている。Ｕ形溝８ｂには、制御基板９から引き出される不図示のリード線を通す樹脂製のコードブッシュ１１が嵌め込まれる。図７に示すように、樹脂プレート１０には、コードブッシュ１１の端面が当接する当接部１０ｉが、浴室乾燥機１００の据え付け状態において鉛直方向下側に位置する部分に設けられている。そして、コードブッシュ１１は、樹脂ケース８のＵ形溝８ｂと樹脂プレート１０の当接部１０ｉとにより囲まれた状態で固定される。制御基板９から引き出されるリード線は、コードブッシュ１１に通されることで固定され、第２の制御基板収納部２３から下方に引き出される。
【００３７】
これにより、制御基板９から引き出されるリード線の第２の制御基板収納部２３からの引き出しに起因した第２の制御基板収納部２３の内部への水の浸入防止を図りながら、リード線を第２の制御基板収納部２３の外部に引き出すことが可能である。すなわち、第２の制御基板収納部２３は、樹脂ケース８と樹脂プレート１０とにより制御基板９を外部から絶縁し、さらに制御基板９から引き出されるリード線をコードブッシュ１１で覆うことでリード線を外部から絶縁するバリア構造とされるとともに、第２の制御基板収納部２３の内部への水の浸入防止が図られている。また、第２の制御基板収納部２３の内部は、外部との連通が遮断され、密閉された状態とされる。
【００３８】
上述したように、本実施の形態１にかかる浴室乾燥機１００では、板金カバー１２の内面１２ａと制御基板９との間に設けられた樹脂プレート１０が、板金カバー１２の内面１２ａと制御基板９との間の断熱層として機能する。また、浴室乾燥機１００では、板金カバー１２の内面１２ａと樹脂プレート１０の第１面１０ｅとの間に形成された空気層１８が、板金カバー１２の内面１２ａと樹脂プレート１０との間の断熱層として機能する。これにより、浴室乾燥機１００では、第１の制御基板収納部２２の内部における制御基板９の周囲が冷えることが抑制されている。
【００３９】
これにより、浴室乾燥機１００は、制御基板９の周辺での結露の発生に起因した、制御基板９に実装された制御回路の誤作動を防止することができ、信頼性の高い浴室乾燥機１００を実現できる。また、浴室乾燥機１００は、制御回路にポッティング加工を施すことなく、制御回路において必要な絶縁性を確保することができるため、製造作業が複雑となることがなく、また浴室乾燥機１００の重量が増加することがない。
【００４０】
したがって、本実施の形態１にかかる浴室乾燥機１００は、製造作業の複雑化および重量の増加を伴うことなく、結露に起因した誤作動を抑制可能である、という効果を奏する。
【００４１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４２】
１  外郭ケース、２  パネル、３  パネルベース、４  フロントパネル、５  吹出口、７  板金ベース、８  樹脂ケース、８ａ  固定用孔、８ｂ  Ｕ形溝、８ｃ  開口端面、９  制御基板、９ａ  実装面、１０  樹脂プレート、１０ａ  固定用つめ、１０ｂ  隙間用リブ、１０ｃ  水浸入防止リブ、１０ｄ  排水用第１切り欠き、１０ｅ  第１面、１０ｆ  第２面、１０ｇ  側面、１０ｈ  外周縁部、１０ｉ  当接部、１１  コードブッシュ、１２  板金カバー、１２ａ，２２ａ  内面、１２ｂ  排水用第２切り欠き、１２ｃ  内側面、１３  本体ボディ、１４  ステッピングモーター、１６  ファン、１７  ファンモータ、１８  空気層、１９  カバー、２０  送風機、２１  本体部、２２  第１の制御基板収納部、２３  第２の制御基板収納部、４１  板材、４２  サッシ、１００  浴室乾燥機。
【図１】
0006925543.tif 000002
【図２】
0006925543.tif 000003
【図３】
0006925543.tif 000004
【図４】
0006925543.tif 000005
【図５】
0006925543.tif 000006
【図６】
0006925543.tif 000007
【図７】
0006925543.tif 000008
【図８】
0006925543.tif 000009